(57)【要約】【課題】冷蔵庫等の物品保存庫の扉を誰が開けたかを確認することが可能であり、物品管理の向上を図ることができる物品保存庫、物品保存庫監視システム及び冷蔵庫監視システムを提供することである。【解決手段】冷蔵庫１と、この冷蔵庫１にインターネットを介して接続されるサーバと、このサーバにインターネットを介して接続される携帯電話機とを備える冷蔵庫監視システムにおいて、冷蔵庫１のＣＰＵ１５１は、庫外撮像カメラ１４１により取得された庫外画像データに基づいて、人物の顔が認識されると判定された庫外画像データを、送信部１６によりサーバに送信する。サーバは記憶部により、庫外画像データを記憶し、送受信部により庫外画像データを受信した旨の通知メールを携帯電話機に送信し、携帯電話機からのアクセスに応じて、送受信部により庫外画像データを携帯電話機に送信する。【選択図】図３
2007046833.tif 000002
【特許請求の範囲】
【請求項１】
冷蔵庫と、この冷蔵庫に電気通信回線を介して接続される管理装置と、この管理装置に電気通信回線を介して接続される端末装置と、を備える冷蔵庫監視システムにおいて、
前記冷蔵庫は、
開閉自在な扉を有する冷蔵庫本体と、
前記扉の開動を検出する扉開動検出手段と、
前記扉の閉動を検出する扉閉動検出手段と、
前記扉開動検出手段により前記扉の開動が検出されたことに基づいて、前記冷蔵庫本体の外部を所定間隔ごとに撮像して庫外画像データを取得する庫外撮像手段と、
前記扉閉動検出手段により前記扉の閉動が検出されたことに基づいて、前記冷蔵庫本体の内部を撮像して庫内画像データを取得する庫内撮像手段と、
前記庫外撮像手段により撮像された前記庫外画像データが、人物の顔が認識される庫外画像データであるか否かを判定する判定手段と、
前記庫内撮像手段により撮像された前記庫内画像データに基づいて、前記冷蔵庫本体の内部における収納物の変化の有無を判断する判断手段と、
前記判定手段により人物の顔が認識されると判定された前記庫外画像データ及び前記判断手段により前記冷蔵庫本体の内部における収納物に変化があると判断された前記庫内画像データを前記管理装置に送信する送信手段と、を備え、
前記管理装置は、
前記送信手段により送信された前記庫外画像データ及び前記庫内画像データを記憶する記憶手段と、
前記送信手段から前記庫外画像データ及び前記庫内画像データが送信された場合に、前記端末装置にその旨の通知を行う通知手段と、
前記記憶手段により記憶された前記庫外画像データ及び前記庫内画像データを、前記端末装置からの要求に応じて前記端末装置に送信する画像データ送信手段と、
を備えることを特徴とする冷蔵庫監視システム。
【請求項２】
端末装置と電気通信回線を介して接続される物品保存庫であって、
開閉自在な扉を有する物品保存庫本体と、
前記扉の開動を検出する扉開動検出手段と、
前記扉開動検出手段により前記扉の開動が検出されたことに基づいて、前記物品保存庫本体の外部を撮像して庫外画像データを取得する庫外撮像手段と、
前記庫外撮像手段により撮像が行われた場合に、前記端末装置に前記庫外撮像手段により撮像された前記庫外画像データ又は前記庫外画像データに基づく庫外画像を閲覧するための庫外画像情報を送信する庫外画像情報送信手段と、
を備えることを特徴とする物品保存庫。
【請求項３】
前記庫外撮像手段は、所定間隔毎に撮像して前記庫外画像データを取得し、
前記庫外撮像手段により撮像された前記庫外画像データが、人物の顔が認識される庫外画像データであるか否かを判定する判定手段を備え、
前記庫外画像情報送信手段は、前記判定手段により人物の顔が認識されると判定された前記庫外画像データを、前記端末装置に送信することを特徴とする請求項２に記載の物品保存庫。
【請求項４】
前記物品保存庫本体の前記扉の閉動を検出する扉閉動検出手段と、
前記扉閉動検出手段により前記扉の閉動が検出されたことに基づいて、前記物品保存庫本体の内部を撮像して庫内画像データを取得する庫内撮像手段と、
前記庫内撮像手段により撮像された前記庫内画像データを、前記端末装置に送信する庫内画像データ送信手段と、
を備えることを特徴とする請求項２又は３に記載の物品保存庫。
【請求項５】
前記庫内撮像手段により取得された第１の庫内画像データを記憶する庫内画像データ記憶手段と、
前記第１の庫内画像データの撮像後に、前記庫内撮像手段により取得された第２の庫内画像データと、前記庫内画像データ記憶手段に記憶された前記第１の庫内画像データとに基づいて、前記物品保存庫本体の内部における収納物の変化の有無を判断する判断手段と、を備え、
前記庫内画像データ送信手段は、前記判断手段により、前記物品保存庫本体の内部における収納物に変化があると判断された前記庫内画像データを、前記端末装置に送信することを特徴とする請求項４に記載の物品保存庫。
【請求項６】
収納物を保存する物品保存庫と、この物品保存庫に電気通信回線を介して接続される管理装置と、この管理装置に電気通信回線を介して接続される端末装置と、を備える物品保存庫監視システムにおいて、
前記物品保存庫は、
開閉自在な扉を有する物品保存庫本体と、
前記扉の開動を検出する扉開動検出手段と、
前記扉の閉動を検出する扉閉動検出手段と、
前記扉開動検出手段により前記扉の開動が検出されたことに基づいて、前記物品保存庫本体の外部を所定間隔ごとに撮像して庫外画像データを取得する庫外撮像手段と、
前記扉閉動検出手段により前記扉の閉動が検出されたことに基づいて、前記物品保存庫本体の内部を撮像して庫内画像データを取得する庫内撮像手段と、
前記庫外撮像手段により撮像された前記庫外画像データが、人物の顔が認識される庫外画像データであるか否かを判定する判定手段と、
前記庫内撮像手段により撮像された前記庫内画像データに基づいて、前記物品保存庫本体の内部における収納物の変化の有無を判断する判断手段と、
前記判定手段により人物の顔が認識されると判定された前記庫外画像データ及び前記判断手段により前記物品保存庫本体の内部における収納物の変化があると判断された前記庫内画像データを前記管理装置に送信する送信手段と、を備え、
前記管理装置は、
前記送信手段により送信された前記庫外画像データ及び前記庫内画像データを記憶する記憶手段と、
前記送信手段から前記庫外画像データ及び前記庫内画像データが送信された場合に、前記端末装置にその旨の通知を行う通知手段と、
前記記憶手段により記憶された前記庫外画像データ及び前記庫内画像データを、前記端末装置からの要求に応じて前記端末装置に送信する画像データ送信手段と、
を備えることを特徴とする物品保存庫監視システム。
【発明の詳細な説明】
【技術分野】
【０００１】
本発明は、物品保存庫、物品保存庫監視システム及び冷蔵庫監視システムに関する。
【背景技術】
【０００２】
近年、物品保存庫である冷蔵庫内部に撮像装置が設けられ、この撮像装置により撮像された冷蔵庫の内部の画像を、電気通信回線を介して送信することにより、遠隔地からでも冷蔵庫の内部の画像を閲覧可能な冷蔵庫が提案されている。
【０００３】
また、食品保存庫内を撮像した撮像画像を蓄積し、且つ情報ネットワークに接続されたローカルデータベースを備え、遠隔地からの情報ネットワークを通じてこのローカルデータベースにアクセスすることによって、アクセス元に内部に蓄積された内部画像を伝送することができ、さらに、この画像を有効に利用して食品の経済的な調達や、献立に関する情報の取得、食品保存内部の収納整理方法等も図ることができる技術が開示されている（例えば、特許文献１参照）。
【０００４】
また、端末機等によって無線通信や電話回線を使用してインターネットプロバイダを介してネットワークに接続し、サーバから冷蔵庫の在庫情報を確認することができる技術も開示されている（例えば、特許文献２参照）。
【特許文献１】特開２００２−２４３３３５号公報
【特許文献２】特開２００２−０８１８１８号公報
【発明の開示】
【発明が解決しようとする課題】
【０００５】
しかしながら、特許文献１、２に開示された技術では、冷蔵庫を誰が使用したかを確認することはできない。
【０００６】
本発明の課題は、冷蔵庫などの物品保存庫の扉を誰が開けたかを確認することが可能であり、物品管理の向上を図ることのできる物品保存庫、物品保存庫監視システム及び冷蔵庫監視システムを提供することである。
【課題を解決するための手段】
【０００７】
以上の課題を解決するため、請求項１に記載の発明は、冷蔵庫と、この冷蔵庫に電気通信回線を介して接続される管理装置と、この管理装置に電気通信回線を介して接続される端末装置と、を備える冷蔵庫監視システムにおいて、
前記冷蔵庫は、
開閉自在な扉を有する冷蔵庫本体と、
前記扉の開動を検出する扉開動検出手段と、
前記扉の閉動を検出する扉閉動検出手段と、
前記扉開動検出手段により前記扉の開動が検出されたことに基づいて、前記冷蔵庫本体の外部を所定間隔ごとに撮像して庫外画像データを取得する庫外撮像手段と、
前記扉閉動検出手段により前記扉の閉動が検出されたことに基づいて、前記冷蔵庫本体の内部を撮像して庫内画像データを取得する庫内撮像手段と、
前記庫外撮像手段により撮像された前記庫外画像データが、人物の顔が認識される庫外画像データであるか否かを判定する判定手段と、
前記庫内撮像手段により撮像された前記庫内画像データに基づいて、前記冷蔵庫本体の内部における収納物の変化の有無を判断する判断手段と、
前記判定手段により人物の顔が認識されると判定された前記庫外画像データ及び前記判断手段により前記冷蔵庫本体の内部における収納物に変化があると判断された前記庫内画
像データを前記管理装置に送信する送信手段と、を備え、
前記管理装置は、
前記送信手段により送信された前記庫外画像データ及び前記庫内画像データを記憶する記憶手段と、
前記送信手段から前記庫外画像データ及び前記庫内画像データが送信された場合に、前記端末装置にその旨の通知を行う通知手段と、
前記記憶手段により記憶された前記庫外画像データ及び前記庫内画像データを、前記端末装置からの要求に応じて前記端末装置に送信する画像データ送信手段と、
を備えることを特徴とする。
【０００８】
請求項２に記載の発明は、端末装置と電気通信回線を介して接続される物品保存庫であって、
開閉自在な扉を有する物品保存庫本体と、
前記扉の開動を検出する扉開動検出手段と、
前記扉開動検出手段により前記扉の開動が検出されたことに基づいて、前記物品保存庫本体の外部を撮像して庫外画像データを取得する庫外撮像手段と、
前記庫外撮像手段により撮像が行われた場合に、前記端末装置に前記庫外撮像手段により撮像された前記庫外画像データ又は前記庫外画像データに基づく庫外画像を閲覧するための庫外画像情報を送信する庫外画像情報送信手段と、
を備えることを特徴とする。
【０００９】
請求項３に記載の発明は、請求項２に記載の発明において、前記庫外撮像手段は、所定間隔毎に撮像して前記庫外画像データを取得し、
前記庫外撮像手段により撮像された前記庫外画像データが、人物の顔が認識される庫外画像データであるか否かを判定する判定手段を備え、
前記庫外画像情報送信手段は、前記判定手段により人物の顔が認識されると判定された前記庫外画像データを、前記端末装置に送信することを特徴とする。
【００１０】
請求項４に記載の発明は、請求項２又は３に記載の発明において、前記物品保存庫本体の前記扉の閉動を検出する扉閉動検出手段と、
前記扉閉動検出手段により前記扉の閉動が検出されたことに基づいて、前記物品保存庫本体の内部を撮像して庫内画像データを取得する庫内撮像手段と、
前記庫内撮像手段により撮像された前記庫内画像データを、前記端末装置に送信する庫内画像データ送信手段と、
を備えることを特徴とする。
【００１１】
請求項５に記載の発明は、請求項４に記載の発明において、前記庫内撮像手段により取得された第１の庫内画像データを記憶する庫内画像データ記憶手段と、
前記第１の庫内画像データの撮像後に、前記庫内撮像手段により取得された第２の庫内画像データと、前記庫内画像データ記憶手段に記憶された前記第１の庫内画像データとに基づいて、前記物品保存庫本体の内部における収納物の変化の有無を判断する判断手段と、を備え、
前記庫内画像データ送信手段は、前記判断手段により、前記物品保存庫本体の内部における収納物に変化があると判断された前記庫内画像データを、前記端末装置に送信することを特徴とする。
【００１２】
請求項６に記載の発明は、収納物を保存する物品保存庫と、この物品保存庫に電気通信回線を介して接続される管理装置と、この管理装置に電気通信回線を介して接続される端末装置と、を備える物品保存庫監視システムにおいて、
前記物品保存庫は、
開閉自在な扉を有する物品保存庫本体と、
前記扉の開動を検出する扉開動検出手段と、
前記扉の閉動を検出する扉閉動検出手段と、
前記扉開動検出手段により前記扉の開動が検出されたことに基づいて、前記物品保存庫本体の外部を所定間隔ごとに撮像して庫外画像データを取得する庫外撮像手段と、
前記扉閉動検出手段により前記扉の閉動が検出されたことに基づいて、前記物品保存庫本体の内部を撮像して庫内画像データを取得する庫内撮像手段と、
前記庫外撮像手段により撮像された前記庫外画像データが、人物の顔が認識される庫外画像データであるか否かを判定する判定手段と、
前記庫内撮像手段により撮像された前記庫内画像データに基づいて、前記物品保存庫本体の内部における収納物の変化の有無を判断する判断手段と、
前記判定手段により人物の顔が認識されると判定された前記庫外画像データ及び前記判断手段により前記物品保存庫本体の内部における収納物の変化があると判断された前記庫内画像データを前記管理装置に送信する送信手段と、を備え、
前記管理装置は、
前記送信手段により送信された前記庫外画像データ及び前記庫内画像データを記憶する記憶手段と、
前記送信手段から前記庫外画像データ及び前記庫内画像データが送信された場合に、前記端末装置にその旨の通知を行う通知手段と、
前記記憶手段により記憶された前記庫外画像データ及び前記庫内画像データを、前記端末装置からの要求に応じて前記端末装置に送信する画像データ送信手段と、
を備えることを特徴とする。
【発明の効果】
【００１３】
請求項１に記載の発明によれば、庫外撮像手段により取得された庫外画像データに基づいて、判定手段により人物の顔が認識される庫外画像データが判定され、送信手段により、人物の顔が認識されると判定された庫外画像データが管理装置に送信され、記憶される。そして、管理装置により、庫外画像データが端末装置に送信されるので、この庫外画像データに基づく画像を閲覧することにより、ユーザは遠隔地においても冷蔵庫を使用した人物を確認することができる。また、庫内撮像手段により取得された庫内画像データに基づいて、判断手段により、冷蔵庫本体の内部における収納物の変化の有無が判断され、冷蔵庫本体の内部における収納物に変化があると判断された場合には、冷蔵庫本体の内部における収納物に変化があると判断された庫内画像データが管理装置に送信され、記憶される。そして、管理装置により、庫内画像データが端末装置に送信されるので、この庫内画像データに基づく画像を閲覧することにより、ユーザは遠隔地においても冷蔵庫本体の内部における変化した収納物の特定をより容易に行うことができ、物品管理の向上を図ることができる。
【００１４】
請求項２に記載の発明によれば、庫外撮像手段により庫外画像データが取得された場合に、端末装置に、庫外画像データ又は庫外画像データに基づく庫外画像を閲覧するための庫外画像情報が送信されるので、庫外画像データに基づく画像を閲覧することにより、ユーザは遠隔地においても物品保存庫本体の扉を開いた人物を確認することが可能となり、物品管理の向上を図ることができる。
【００１５】
請求項３に記載の発明によれば、請求項２に記載の発明の効果が得られるのは無論のこと、庫外撮像手段は、撮像した庫外画像データのうち人物の顔が認識される庫外画像データを判定し、人物の顔が認識されると判定された庫外画像データが端末装置に送信されるので、この庫外画像データに基づく画像を閲覧することにより、ユーザは遠隔地においても物品保存庫本体の扉を開いた人物を容易に確認することができる。
【００１６】
請求項４に記載の発明によれば、請求項２又は３に記載の発明の効果が得られるのは無論のこと、庫内撮像手段により物品保存庫本体の内部の撮像が行われ、庫内撮像データが端末装置に送信されるので、この庫内画像データに基づく画像を閲覧することにより、ユーザは物品保存庫本体の内部の状況を把握することができる。
【００１７】
請求項５に記載の発明によれば、請求項４に記載の発明の効果が得られるのは無論のこと、庫内撮像手段により取得された庫内画像データに基づいて、判断手段により物品保存庫本体の内部における収納物の変化が判断され、庫内画像データ送信手段により、判断手段により物品保存庫本体の内部における収納物の変化があると判断された庫内画像データが端末装置に送信されるので、この庫内画像データに基づく画像を閲覧することにより、ユーザは遠隔地においても、物品保存庫本体の内部における変化した収納物の特定を容易に行うことができる。
【００１８】
請求項６に記載の発明によれば、庫外撮像手段により取得された庫外画像データに基づいて、判定手段により人物の顔が認識される庫外画像データが判定され、送信手段により、人物の顔が認識されると判定された庫外画像データが管理装置に送信され、記憶される。そして、管理装置により、庫外画像データが端末装置に送信されるので、この庫外画像データに基づく画像を閲覧することにより、ユーザは遠隔地においても物品保存庫を使用した人物を確認することができる。また、庫内撮像手段により取得された庫内画像データに基づいて、判断手段により、物品保存庫本体の内部における収納物の変化の有無が判断され、物品保存庫本体の内部における収納物に変化があると判断された場合には、物品保存庫本体の内部における収納物に変化があると判断された庫内画像データが管理装置に送信され、記憶される。そして、管理装置により、庫内画像データが端末装置に送信されるので、この庫内画像データに基づく画像を閲覧することにより、ユーザは遠隔地においても物品保存庫本体の内部における変化した収納物の把握をより容易に行うことができ、物品管理の向上を図ることができる。
【発明を実施するための最良の形態】
【００１９】
以下、本発明の実施の形態を、図面を参照して詳細に説明する。
【００２０】
なお、本実施形態においては、物品保存庫監視システムとして冷蔵庫監視システムを用いて説明する。
【００２１】
図１は、本実施形態の冷蔵庫監視システム１００の構成を示す図である。
【００２２】
本実施形態の冷蔵庫監視システム１００は、物品保存庫としての冷蔵庫１と、管理装置としてのサーバ２と、端末装置としての携帯電話機３と、を備えて構成され、それぞれは電気通信回線としてのインターネットにより接続されている。
【００２３】
冷蔵庫１は、冷蔵庫本体１１の外部及び内部を監視して取得した庫外画像データ及び庫内画像データとしての画像データをインターネットを介してサーバ２に送信する。
【００２４】
サーバ２は、電子メールの送受信を行うメールサーバや、ウェブページをインターネットに公開するウェブサーバ等としてのサービスを提供する。サーバ２は、インターネットを介して冷蔵庫１から送信された画像データを受信して格納し、画像データを受信した旨を携帯電話機３に、例えば、電子メール等により通知する。
【００２５】
携帯電話機３は、サーバ２からインターネットを介して送信された電子メールを受信すると、サーバ２に格納された画像データをリクエストしてサーバ２の提供するウェブページにアクセスする。すると、サーバ２はインターネットのウェブページを用いて、画像データを携帯電話機３に対して送信する。携帯電話機３は、受信した画像データを表示画面３４ａに表示し、これにより、ユーザは冷蔵庫本体１１の内部及び外部の画像を閲覧することができる。
（冷蔵庫１の構成）
図２は、冷蔵庫１の冷蔵庫本体１１の扉を開いた状態の斜視図であり、図３は、冷蔵庫１の要部構成を示すブロック図である。
【００２６】
図２及び図３に示すように、冷蔵庫１は、開閉自在な扉を有する冷蔵庫本体１１と、扉開動検出手段及び扉閉動検出手段としての扉開閉検出センサ１２と、照明装置１３と、庫外撮像手段及び庫内撮像手段としての撮像部１４と、制御部１５と、送信手段としての送信部１６と、を備えて構成される。
【００２７】
冷蔵庫本体１１は、例えば、外形が直方体形状であり、冷蔵室１１ａと、冷凍室１１ｂと、を備え、さらに、扉としての冷蔵室用開閉扉１１ｃと、冷凍室用開閉扉１１ｄとを備えている。
【００２８】
扉開閉検出センサ１２は、ユーザによる冷蔵室用開閉扉１１ｃの開動及び閉動を検出して、検出信号を制御部１５に出力する冷蔵室用扉センサ１２ａと、冷凍室用開閉扉１１ｄの開動及び閉動を検出して、検出信号を制御部１５に出力する冷凍室用扉センサ１２ｂと、を備える。扉開閉検出センサ１２は、例えば、接触型の検出センサであり、冷蔵室用開閉扉１１ｃ、冷凍室用開閉扉１１ｄが閉じている状態では、冷蔵室用扉センサ１２ａ、冷凍室用扉センサ１２ｂの各々は、例えば、「Ｌ」状態の検出信号を制御部１５に出力する。一方、冷蔵室用開閉扉１１ｃ、冷凍室用開閉扉１１ｄが開いている状態では、冷蔵室用扉センサ１２ａ、冷凍室用扉センサ１２ｂの各々は、例えば、「Ｈ」状態の検出信号を制御部１５に出力する。
【００２９】
照明装置１３は、冷蔵室用庫内灯１３ａ及び冷凍室用庫内灯１３ｂを備え、それぞれは、制御部１５に接続された駆動回路（図示省略）と、駆動回路に接続された光源（図示省略）と、から構成されている。駆動回路は、制御部１５からの制御信号により、冷蔵室用庫内灯１３ａ或いは冷凍室用庫内灯１３ｂを点灯させるための電流を、光源に対して供給する。
【００３０】
具体的には、冷蔵室用扉センサ１２ａ或いは冷凍室用扉センサ１２ｂにより冷蔵室用開閉扉１１ｃ或いは冷凍室用開閉扉１１ｄの開動が検出されると、この検出結果は「Ｈ」状態の検出信号として制御部１５に出力される。すると、制御部１５は、駆動回路に対して、光源に駆動電流を供給するよう指示する制御信号を出力する。これにより、駆動回路から光源に駆動電流が供給されて、冷蔵室用庫内灯１３ａ或いは冷凍室用庫内灯１３ｂが点灯される。一方、冷蔵室用扉センサ１２ａ或いは冷凍室用扉センサ１２ｂにより冷蔵室用開閉扉１１ｃ又は冷凍室用開閉扉１１ｄの閉動が検出されると、この検出結果は「Ｌ」状態の検出信号として制御部１５に出力される。すると、制御部１５は、撮像部１４による撮像が実行された後に、駆動回路に対して、光源への駆動電流の供給を止めるように指示する制御信号を出力する。これにより、冷蔵室用庫内灯１３ａ或いは冷凍室用庫内灯１３ｂが消灯される。
【００３１】
撮像部１４は、庫外撮像手段としての庫外撮像カメラ１４１と、庫内撮像手段としての庫内撮像カメラ１４２とを備えて構成される。
【００３２】
庫外撮像カメラ１４１は、例えば、撮像方向が外側を向くように冷蔵室１１ａに配置された冷蔵室庫外用カメラ１４１ａと、撮像方向が外側を向くように冷凍室１１ｂに配置された冷凍室庫外用カメラ１４１ｂと、を備えている。冷蔵室庫外用カメラ１４１ａ及び冷凍室庫外用カメラ１４１ｂは、冷蔵庫本体１１の冷蔵室用開閉扉１１ｃ及び冷凍室用開閉扉１１ｄを開く人物の顔を撮像可能に設置されている。そして、冷蔵室庫外用カメラ１４１ａ及び冷凍室庫外用カメラ１４１ｂは、所定の時間（例えば、一秒間）間隔で連続して撮像を行い、庫外画像データを取得する。
【００３３】
庫内撮像カメラ１４２は、例えば、冷蔵室１１ａ内部の上段部、中段部、下段部を撮像可能に冷蔵室用開閉扉１１ｃの内面に各々設けられた第１の冷蔵室用カメラ１４２ａと、
第２の冷蔵室用カメラ１４２ｂと、第３の冷蔵室用カメラ１４２ｃと、冷凍室１１ｂ内部を撮像可能に冷凍室用開閉扉１１ｄの内面に設けられた冷凍室用カメラ１４２ｄと、を備えている。第１の冷蔵室用カメラ１４２ａ、第２の冷蔵室用カメラ１４２ｂ、第３の冷蔵室用カメラ１４２ｃ及び冷凍室用カメラ１４２ｄは、所定のタイミングで撮像を行い、庫内画像データを取得する。
【００３４】
撮像部１４に備わる上述の各カメラは、照明装置１３の光源から発せられた光が被写体に当って反射した反射光を収束して被写体像を結像する撮像レンズ（図示省略）と、撮像レンズにより結像された被写体像に基づいて被写体画像を形成する撮像素子（図示省略）と、を備えている。
【００３５】
撮像レンズは、撮像素子の受光面に結像することができるように配置されており、凹レンズや凸レンズ単体、或いはこれらの組み合わせにより構成されている。
【００３６】
撮像素子は、例えば、ＣＣＤ（Charge Coupled Device）やＣＭＯＳ（Complementary Metal Oxide Semiconductor）等から構成され、制御部１５の制御に従って撮像レンズの前方の撮像対象範囲を撮像する。より詳細には、撮像レンズから入力される結像画像をＣＭＯＳ等により電気信号に変換し、Ａ／Ｄ変換回路等でデジタル信号としての庫内画像データを生成して、この庫内画像データを制御部１５に出力する。
【００３７】
制御部１５は、ＣＰＵ（Central Processing Unit）１５１と、庫内画像データ記憶手
段としてのＲＡＭ（Random Access Memory）１５２と、ＲＯＭ（Read Only Memory）１５３と、Ｉ／Ｏポート１５４と、等を備えて構成されている。
【００３８】
ＣＰＵ１５１は、扉開閉検出センサ１２等からの指示入力に応じて、ＲＯＭ１５３に格納される各種プログラムを実行し、各部に制御信号を出力することによって、冷蔵庫１の動作全般を統括制御する。
【００３９】
ＲＡＭ１５２は、ＣＰＵ１５１のワークエリアとして用いられ、ＲＯＭ１５３から呼び出された各種プログラムやこれらプログラムに係るデータ等をメモリエリアに一時的に記憶する。
【００４０】
ＲＯＭ１５３は、ＣＰＵ１５１によって実行される各種データ処理プログラム及び各プログラムの処理に係る各種初期設定値等のデータを格納するものである。
【００４１】
具体的には、ＲＯＭ１５３は、庫外撮像プログラム１５３ａ、庫内撮像プログラム１５３ｂ、判定プログラム１５３ｃ、判断プログラム１５３ｄ、特定プログラム１５３ｅ、画像処理プログラム１５３ｆ、送信プログラム１５３ｇ等を格納する。  
【００４２】
庫外撮像プログラム１５３ａは、ＣＰＵ１５１に、駆動回路を制御して、電源を供給させることにより、照明装置１３を点灯させ、さらに、撮像部１４の庫外撮像カメラ１４１を制御して、被写体から反射した反射光が撮像レンズを介して収束され結像された結像画像を電気信号に変換させることにより、庫外画像データをデジタル信号として制御部１５に出力させる機能を実現させるプログラムである。
【００４３】
具体的には、ＣＰＵ１５１は、冷蔵室用扉センサ１２ａにより冷蔵室用開閉扉１１ｃの開動が検出されると、冷蔵室用庫内灯１３ａを点灯させ、冷蔵室庫外用カメラ１４１ａを制御して、冷蔵庫本体１１の外部を撮像させる。また、ＣＰＵ１５１は、冷凍室用扉センサ１２ｂにより冷凍室用開閉扉１１ｄの開動が検出されると、冷凍室用庫内灯１３ｂを点灯させ、冷凍室庫外用カメラ１４１ｂを制御して、冷蔵庫本体１１の外部を撮像させる。
【００４４】
ＣＰＵ１５１は、かかる庫外撮像プログラム１５３ａを実行することにより、庫外撮像カメラ１４１とともに庫外撮像手段として機能する。
【００４５】
庫内撮像プログラム１５３ｂは、ＣＰＵ１５１に、駆動回路を制御して、電源を供給させることにより照明装置１３を点灯させ、さらに、撮像部１４の庫内撮像カメラ１４２を
制御して、被写体から反射した反射光が撮像レンズを介して収束され結像された結像画像を電気信号に変換させることにより、庫内画像データをデジタル信号として制御部１５に出力させる機能を実現させるプログラムである。
【００４６】
具体的には、ＣＰＵ１５１は、冷蔵室用扉センサ１２ａにより冷蔵室用開閉扉１１ｃの閉動が検出されると、撮像部１４の庫内撮像カメラ１４２に備わる第１の冷蔵室用カメラ１４２ａ、第２の冷蔵室用カメラ１４２ｂ及び第３の冷蔵室用カメラ１４２ｃを制御して冷蔵室１１ａ内部を撮像させ、その後、冷蔵室用庫内灯１３ａを消灯させる。
【００４７】
また、ＣＰＵ１５１は、冷凍室用扉センサ１２ｂにより冷凍室用開閉扉１１ｄの閉動が検出されると、撮像部１４の庫外撮像カメラ１４２に備わる冷凍室用カメラ１４２ｄを制御して冷凍室１１ｂ内部を撮像させ、その後、冷凍室用庫内灯１３ｂを消灯させる。
【００４８】
ＣＰＵ１５１は、かかる庫内撮像プログラム１５３ｂを実行することにより、庫内撮像カメラ１４２とともに庫内撮像手段として機能する。
【００４９】
判定プログラム１５３ｃは、ＣＰＵ１５１に、庫外撮像プログラム１５３ａの実行により取得された庫外画像データに対し、所定の画像処理を施して、人物の顔が認識される庫外画像データか否かを判定するプログラムである。
【００５０】
具体的には、ＣＰＵ１５１は、庫外撮像プログラム１５３ａの実行により、庫外撮像カメラ１４１が制御されて、所定の時間間隔で取得された各庫外画像データに対して、所定の画像処理を実行することにより、取得した庫外画像データが人物の顔が認識される庫外画像データであるか否かを判定する。所定の画像処理とは、例えば、予め記憶されている背景画像データと、取得した庫外画像データとの差分二値化画像から画像の変化領域を求めて、変化領域の特徴量（例えば、輪郭、目に相当する部分の特徴量など）から人物の顔が認識されるか否かを判定する。ＣＰＵ１５１は、人物の顔が認識されると判定された庫外画像データのうちから、人物の顔が認識される庫外画像データとして人物画像（Ｆ）データを取得する。
【００５１】
ＣＰＵ１５１は、かかる判定プログラム１５３ｃを実行することにより、判定手段として機能する。
【００５２】
判断プログラム１５３ｄは、ＣＰＵ１５１に、庫内撮像プログラム１５３ｂの実行により取得された庫内画像データに対し、所定の画像処理を施すことにより、冷蔵庫本体１１の内部における収納物の変化の有無を判断させる機能を実現させるプログラムである。
【００５３】
具体的には、ＣＰＵ１５１は、判断プログラム１５３ｄを実行することにより、庫内撮像カメラ１４２により撮像され、ＲＡＭ１５２に格納された第２の庫内画像データとしての現フレーム画像（Ｎ）（図４（ａ）参照）データと、前回の冷蔵室用開閉扉１１ｃ又は冷凍室用開閉扉１１ｄの閉動後に庫内撮像カメラ１４２により撮像され、ＲＡＭ１５２に格納された第１の庫内画像データとしての１フレーム前画像（Ｎ−１）（図４（ｂ）参照）データとの差分処理を行い、差分処理によって作成された差分画像（Ｎｄ）（図４（ｃ）参照）データにおいて、例えば、二値化処理やエッジ検出等の処理により所定値以上の変化が計測されるか否かを判断する。所定値以上の変化が計測されたと判断した場合は、ＣＰＵ１５１は、冷蔵庫本体１１の内部の収納物に変化があると判断することとなる。
【００５４】
ＣＰＵ１５１は、かかる判断プログラム１５３ｄを実行することにより、判断手段として機能する。
【００５５】
特定プログラム１５３ｅは、ＣＰＵ１５１に、判断プログラム１５３ｄの実行により、冷蔵庫本体１１の内部の収納物に変化があると判断された場合に、さらに、変化した収納物の位置を特定させる機能を実現させるプログラムである。
【００５６】
具体的には、ＣＰＵ１５１は、判断プログラム１５３ｄの実行により作成された差分画像（Ｎｄ）データにおいて、所定値以上の変化が計測された領域の位置を、現フレーム画像（Ｎ）データにおいて特定する。
【００５７】
画像処理プログラム１５３ｆは、ＣＰＵ１５１に、特定プログラム１５３ｅの実行により、収納物の変化位置が特定された領域が識別可能となるような画像処理を、現フレーム画像（Ｎ）データに対して行わせる機能を実現させるプログラムである。
【００５８】
具体的には、例えば、図４に示すように、ＣＰＵ１５１は、収納物の変化位置が特定された領域を、例えば、枠で囲む等の切り出し処理等の画像処理を、現フレーム画像（Ｎ）データに対して行い、識別画像（Ｎｐ）（図４（ｄ）参照）データを作成する。この識別画像（Ｎｐ）データに基づく画像を用いて、ユーザは、収納物の変化位置が特定された領域Ｘ（図４（ｄ））を一目で認識し得るので、変化した収納物を容易に特定することができる。
【００５９】
送信プログラム１５３ｇは、ＣＰＵ１５１に、人物画像（Ｆ）データ及び画像処理がなされた識別画像（Ｎｐ）データ、若しくは人物画像（Ｆ）データのみをサーバ２に送信させる機能を実現させるプログラムである。
【００６０】
ＣＰＵ１５１は、かかる送信プログラム１５３ｇを実行することにより、送信部１６とともに送信手段として機能する。
【００６１】
送信部１６は、モデム（MODEM/MOdulator/DEModulator）、ターミナルアダプタ、ＬＡ
Ｎアダプタ等によって構成され、インターネット等の通信ネットワークを介し、外部機器との通信を行う。
【００６２】
具体的には、送信部１６は、送信プログラム１５３ｇの実行により、人物画像（Ｆ）データ及び画像処理が施された識別画像（Ｎｄ）データ、若しくは人物画像（Ｆ）データのみを、ユーザＩＤとともにインターネットを介してサーバ２に送信する。
（サーバ２の構成）
次に、サーバ２について図５を用いて説明する。
【００６３】
図５は、サーバ２の要部構成を示すブロック図である。
【００６４】
図５に示すように、サーバ２は、データの送受信を行う通知手段及び画像データ送信手段としての送受信部２１と、画像データ等を格納する記憶手段としての記憶部２２と、各種プログラム、入力データ及びプログラムが実行される際に生じる処理結果等を記憶するメインメモリ２３と、メインメモリに格納されたプログラムを実行することによりサーバ２を統括制御するＣＰＵ２４と、を備えて構成される。
【００６５】
記憶部２２は、例えば、ＨＤＤ（Hard Disc Drive）等により構成され、冷蔵庫監視シ
ステム１００のユーザが登録されたユーザリスト２２１と、画像データを格納する画像フォルダ部２２２とを備えている。
【００６６】
ユーザリスト２２１に登録された各ユーザにはユーザＩＤが付されており、さらに、通知メール等の送信先である携帯電話機３等の端末装置のメールアドレスが、ユーザＩＤと対応付けられて記載されている。
【００６７】
画像フォルダ部２２２は、冷蔵庫１から送信され、送受信部２１によって受信された画像データを格納する複数の画像フォルダ２２２ａ・・・を備えて構成される。
【００６８】
画像フォルダ２２２ａには、各画像データが、画像データを識別するために付された画像ＩＤ、受信日時及び画像ファイル名等とともにユーザＩＤと対応付られて、記憶されている。
【００６９】
メインメモリ２３は、ＣＰＵ２４によって実行される記憶プログラム２３ａ、通知プログラム２３ｂ及び画像データ送信プログラム２３ｃ等を備えている。
【００７０】
記憶プログラム２３ａは、ＣＰＵ２４に、人物画像（Ｆ）データ及び識別画像（Ｎｐ）
データ、若しくは人物画像（Ｆ）データのみが冷蔵庫１からインターネットを介して送信されて、送受信部２１により受信されると、該画像データをユーザＩＤ毎に画像フォルダ２２２ａに格納させる機能を実現させるプログラムである。
【００７１】
ＣＰＵ２４は、かかる記憶プログラム２３ａを実行することにより、記憶部２２とともに記憶手段として機能する。
【００７２】
通知プログラム２３ｂは、ＣＰＵ２４に、人物の顔が認識された人物画像（Ｆ）データと識別画像（Ｎｐ）データ若しくは人物画像（Ｆ）データが冷蔵庫１からインターネットを介して送信されて、送受信部２１により受信されると、該画像データを受信したことを通知する電子メールを、ユーザの携帯電話機３のメールアドレスに送信させる機能を実現させるプログラムである。
【００７３】
ＣＰＵ２４は、かかる通知プログラム２３ｂを実行することにより送受信部２１とともに通知手段として機能する。
【００７４】
画像データ送信プログラム２３ｃは、ＣＰＵ２４に、携帯電話機３からのリクエストの受信に応じて人物画像（Ｆ）データ及び識別画像（Ｎｐ）データ、若しくは人物画像（Ｆ）データのみを、インターネットのウェブページを用いて、ユーザの携帯電話機３に送信させる機能を実現させるプログラムである。
【００７５】
ＣＰＵ２４は、かかる画像データ送信プログラム２３ｃを実行することにより、送受信部２１とともに画像データ送信手段として機能する。
（携帯電話機３の構成）
次に、携帯電話機３について図６を参照しながら説明する。
【００７６】
図６は、携帯電話機３の要部構成を示すブロック図である。
【００７７】
図６に示すように、携帯電話機３は、データ等を送受信する送受信部３１と、データ及びプログラム等を格納するメモリ部３２と、ユーザにより各種指示入力がされる操作入力部３３と、画像データ等を表示させる表示画面３４ａを備える表示部３４と、各部に制御信号を出力することで、携帯電話機３を統括制御するＣＰＵ３５と、を備えて構成されている。
【００７８】
サーバ２により通知メールが送信されると、送受信部３１は該通知メールを受信し、例えば、図７に示すように、冷蔵庫本体１１の扉が開かれた旨の通知が表示部３４の表示画面３４ａに表示される。通知メールには、さらに、サーバ２の画像フォルダ２２２ａに格納された人物画像（Ｆ）データ及び識別画像（Ｎ）データ若しくは人物画像（Ｆ）データを、読み出し可能なように、各画像データのリンク先のＵＲＬが表示されたリンクボタンが表示されている。
【００７９】
そして、表示画面３４ａに表示されたリンクボタンを押下することにより、押下されたリンクボタンのＵＲＬが送受信部３１を介してサーバ２に送信され、サーバ２から送信されるウェブページがメモリ部３２に格納されたブラウザソフト等により表示部３４の表示画面３４ａに表示されるようになっている。
【００８０】
次に、冷蔵庫１のＣＰＵ１５１及びサーバ２のＣＰＵ２４によって行われる画像取得・送信動作処理を、図８を参照しながら説明する。
【００８１】
画像取得・送信動作処理は、冷蔵庫１のＣＰＵ１５１が、庫外撮像プログラム１５３ａ、庫内撮像プログラム１５３ｂ、判定プログラム１５３ｃ、判断プログラム１５３ｄ、特定プログラム１５３ｅ、画像処理プログラム１５３ｆ、送信プログラム１５３ｇを実行し、また、サーバ２のＣＰＵ２４が記憶プログラム２３ａを実行することにより行われる。
【００８２】
なお、本処理では、ユーザにより冷蔵室用開閉扉１１ｃが開閉される場合について説明する。
【００８３】
まず、冷蔵庫１のＣＰＵ１５１は、冷蔵室用扉センサ１２ａによる冷蔵室用開閉扉１１ｃの開動が検出されたか否かを判断する（ステップＳ１）。ユーザにより冷蔵室用開閉扉１１ｃが開かれ、例えば、「Ｈ」の検出信号が制御部１５に入力されると、ＣＰＵ１５１は、冷蔵室用開閉扉１１ｃの開動が検出されたと判断し（ステップＳ１：ＹＥＳ）、冷蔵室用庫内灯１３ａを点灯させる（ステップＳ２）。次に、ＣＰＵ１５１は、冷蔵室庫外用カメラ１４１ａに冷蔵庫本体１１の外部を撮像させる（ステップＳ３）。さらに、ＣＰＵ１５１は、ステップＳ３において取得した庫外画像データのうち人物の顔が認識される庫外画像データを判定して（ステップＳ４）、人物の顔が認識される庫外画像データと判定された人物画像（Ｆ）データをＲＡＭ１５２に格納する（ステップＳ５）。
【００８４】
次いで、ＣＰＵ１５１は、冷蔵室用扉センサ１２ａによる冷蔵室用開閉扉１１ｃの閉動が検出されたか否かを判断する（ステップＳ６）。ユーザにより、冷蔵室用開閉扉１１ｃが閉じられ、例えば「Ｌ」の検出信号が制御部１５に入力されると、ＣＰＵ１５１は、冷蔵室用開閉扉１１ｃの閉動が検出されたと判断し（ステップＳ６：ＹＥＳ）、撮像部１４に備わる第１の冷蔵室用カメラ１４２ａ、第２の冷蔵室用カメラ１４２ｂ及び第３の冷蔵室用カメラ１４２ｃに冷蔵室１１ａの内部を撮像させる（ステップＳ７）。撮像が終了すると、ＣＰＵ１５１は、冷蔵室用庫内灯１３ａを消灯させる（ステップＳ８）。
【００８５】
次に、ＣＰＵ１５１は、ステップＳ７において取得した庫内画像データをＲＡＭ１５２に格納する（ステップＳ９）。さらに、ＣＰＵ１５１は、ステップＳ７においてＲＡＭ１５２に格納した現フレーム画像（Ｎ）データと、既にＲＡＭ１５２に格納されている１フレーム前画像（Ｎ−１）データとの差分画像（Ｎｄ）データを作成し、二値化処理やエッジ検出等の処理を施して変化領域の検出を行う（ステップＳ１０）。
【００８６】
次に、ＣＰＵ１５１は、差分画像（Ｎｄ）データに基づいて、現フレーム画像（Ｎ）データと１フレーム前画像（Ｎ−１）データとに、所定値以上の変化が検出されるか否かを判断する（ステップＳ１１）。ＣＰＵ１５１は、ステップＳ１１において、所定値以上の変化が検出されると判断すると（ステップＳ１１：ＹＥＳ）、現フレーム画像（Ｎ）データにおいて所定値以上の変化が検出された位置を特定する（ステップＳ１２）。次に、ＣＰＵ１５１は、ステップＳ１２において特定された変化位置を識別可能なように、現フレーム画像（Ｎ）データに対して画像処理を行い、識別画像（Ｎｐ）データを作成する（ステップＳ１３）。さらに、ＣＰＵ１５１は、ＲＡＭ１５２に格納された人物画像（Ｆ）データと識別画像（Ｎｐ）データを、送信部１６により、インターネットを介してサーバ２に送信させ（ステップＳ１４）、本処理を終了する。
【００８７】
また、ステップＳ１１において、所定値以上の変化が検出されないと判断すると（ステップＳ１１：ＮＯ）、ＣＰＵ１５１は、ＲＡＭ１５２に格納された人物画像（Ｆ）データを、送信部１６により、インターネットを介してサーバ２に送信させ（ステップＳ１５）、本処理を終了する。
【００８８】
一方、サーバ２のＣＰＵ２４は、ステップＳ１６において、冷蔵庫１により送信された人物画像（Ｆ）データ及び識別画像（Ｎｐ）データ、若しくは人物画像（Ｆ）データのみを受信すると、受信した画像データを、画像ＩＤ、受信日時及び画像ファイル名とともに、ユーザＩＤと対応付けて画像フォルダ２２２ａに登録・保存し（ステップＳ１７）、本処理を終了する。
【００８９】
次に、サーバ２のＣＰＵ２４及び携帯電話機３のＣＰＵ３５によって行われる画像閲覧動作処理を、図９を参照しながら説明する。
【００９０】
画像閲覧動作処理は、サーバ２のＣＰＵ２４が通知プログラム２３ｂと、画像データ送信プログラム２３ｃとを実行することにより行われる。
【００９１】
まず、サーバ２のＣＰＵ２４は、冷蔵庫１より、人物画像（Ｆ）データ及び識別画像（Ｎｐ）データ、若しくは人物画像（Ｆ）データのみを受信した場合、冷蔵庫本体１１の扉
が開かれた旨の通知メールを、ユーザリスト２２１に記載されたユーザの携帯電話機３のメールアドレスに送信させる（ステップＳ２１）。
【００９２】
ステップＳ２２において、携帯電話機３のＣＰＵ３５は、サーバ２によって送信された通知メールが送受信部３１により受信され、ユーザにより、画像データを読み出すためのＵＲＬが表示されたリンクボタンが押下されると（ステップＳ２３）、サーバ２に対して該画像データのリクエストを送信する（ステップＳ２４）。次に、該リクエストを受信したサーバ２のＣＰＵ２４は、画像フォルダ部２２２の画像フォルダ２２２ａから、リクエストに記載されている画像データの識別情報に基づいて、所望の画像データを読み出し（ステップＳ２５）、送受信部２１により、サーバ２のウェブページを用いて、該画像データを携帯電話機３に送信させ（ステップＳ２６）、本処理を終了する。
【００９３】
携帯電話機３のＣＰＵ３５は、サーバ２によって送信された画像データが含まれるウェブページデータが送受信部３１により受信されると（ステップＳ２７）、メモリ部３２に格納されたブラウザソフトを実行することによって、受信した該画像データに基づく画像を含むウェブページを表示部３４の表示画面３４ａに表示させ（ステップＳ２８）、本処理を終了する。
【００９４】
以上説明した本発明に係る冷蔵庫監視システム１００によれば、冷蔵庫１のＣＰＵ１５１による庫外撮像プログラム１５３ａの実行により取得された庫外画像データに基づいて、判定プログラム１５３ｃの実行により人物の顔が認識される庫外画像データが判定され、人物画像（Ｆ）データとして取得される。また、庫内撮像プログラム１５３ｂの実行により取得された庫内画像データに基づいて、判断プログラム１５３ｄの実行により冷蔵庫本体１１の内部における収納物の変化の有無が判断され、冷蔵庫本体１１の内部の収納物に変化があると判断された場合には、特定プログラム１５３ｅの実行により内部における収納物の変化位置が特定され、さらに、画像処理プログラム１５３ｆの実行により冷蔵庫本体１１の内部の収納物に変化があると判断された画像データにおいて画像処理が施され、冷蔵庫本体１１の内部における収納物の変化位置が識別可能となる識別画像（Ｎｐ）データが作成される。
【００９５】
そして、送信プログラム１５３ｇの実行により人物画像（Ｆ）データ及び識別画像（Ｎｐ）データ、若しくは人物画像（Ｆ）データのみが管理装置としてのサーバ２に送信される。さらに、サーバ２のＣＰＵ２４による記憶プログラム２３ａの実行により、冷蔵庫１から送信された画像データが記憶され、画像データ送信プログラム２３ｃの実行により、記憶された画像データが、端末装置としての携帯電話機３からの要求に応じて携帯電話機３に送信される。
【００９６】
従って、ユーザは遠隔地においても、携帯電話機３から人物画像（Ｆ）を閲覧することにより、冷蔵庫１を誰が使用したかを確実且つ容易に把握することができる。また、ユーザは遠隔地においても、携帯電話機３から識別画像（Ｎｐ）を閲覧することにより、冷蔵庫本体１１の内部における変化した収納物の把握を確実且つ容易に行うことができる。
【００９７】
なお、本発明は、上記実施の形態に限定されることなく、本発明の逸脱しない範囲において、種々の改良及び設計の変更を行っても良い。
【００９８】
例えば、本発明は、端末装置としての携帯電話機３に送信される通知メールに画像データのリンク先が設定された例を用いて説明したが、通知メールに人物画像（Ｆ）データや識別画像（Ｎｐ）データが添付されていても良い。
【００９９】
また、本発明は、冷蔵庫１から管理装置や端末装置に画像処理の施された識別画像（Ｎｐ）データが送信される例を用いて説明したが、送信されるのは画像処理の施されていない画像データであっても良い。
【０１００】
また、本発明は、管理装置としてのサーバ２が冷蔵庫１の外部に設けられている例を用いて説明したが、管理装置の機能は冷蔵庫１に内蔵されているものであってもよい。この場合、通知メール、人物画像（Ｆ）データ、識別画像（Ｎｐ）データは、冷蔵庫１から直
接、端末装置に送信される。
【０１０１】
また、本発明では、判断プログラム１５３ｄ、特定プログラム１５３ｅ及び画像処理プログラム１５３ｆが冷蔵庫１に備わり、冷蔵庫１において、冷蔵庫本体１１の内部における収納物の変化の検出及び識別画像（Ｎｐ）データの作成が行われる例を用いて説明したが、収納物の変化の検出及び識別画像（Ｎｐ）データの作成は、管理装置で行われる設計であっても良い。
【０１０２】
また、本発明は、管理装置としてのサーバ２は、一台でメールサーバ及びウェブサーバ等としてのサービスを提供する設計としたが、各サービスごとに管理装置が設けられる設計であってもよい。
【０１０３】
また、本発明は、物品保存庫として、冷蔵庫１を例示したが、例えば、金庫、倉庫、ショーケース、押入、クローゼット等、物品を収納或いは保存するものであれば、どのようなものであっても良い。
【０１０４】
また、本発明は、撮像部１４のカメラを、撮像箇所毎に複数設ける例を用いて説明したが、移動、回転等させることにより一つのカメラで複数の撮像箇所を撮像させてもよい。
【０１０５】
また、本発明は、撮像部１４による撮像が行われる際、照明装置１３を点灯させる例を用いて説明したが、撮像部１４にフラッシュ機能が設けられる設計であってもよい。
【０１０６】
また、端末装置として、携帯電話機３を用いて説明したが、端末装置はＰＣ（Personal
Computer）等であってもよい。
【０１０７】
また、本発明は、庫外撮像カメラ１４１が冷蔵庫本体１１の内部に設けられる例を用いて説明したが、庫外撮像カメラ１４１が冷蔵庫本体１１の外部に設けられていてもよい。この場合、例えば、常時キャプチャ画像を取得して一定時間記録しておき、冷蔵室用扉センサ１２ａ、冷凍室用扉センサ１２ｂの検知に基づいて、予め記録したキャプチャ画像を庫外撮像データとして取得する設計であってもよい。
【図面の簡単な説明】
【０１０８】
【図１】本発明に係る冷蔵庫監視システムの構成を示す図である。
【図２】本発明に係る冷蔵庫の斜視図である。
【図３】本発明に係る冷蔵庫の要部構成を示すブロック図である。
【図４】現フレーム画像（Ｎ）、１フレーム前画像（Ｎ−１）、差分画像（Ｎｄ）及び識別画像（Ｎｐ）の一例を示す説明図である。
【図５】本発明に係る管理装置としてのサーバの要部構成を示すブロック図である。
【図６】本発明に係る端末装置としての携帯電話機の要部構成を示すブロック図である。
【図７】携帯電話機の表示画面に表示された通知メールの一例を示す説明図である。
【図８】本発明に係る冷蔵庫監視システムの画像取得・送信動作処理を示すフローチャートである。
【図９】本発明に係る冷蔵庫監視システムの画像閲覧動作処理を示すフローチャートである。
【符号の説明】
【０１０９】
１００    冷蔵庫監視システム（物品保存庫監視システム）
１        冷蔵庫（物品保存庫）
１１      冷蔵庫本体（物品保存庫本体）
１１ｃ    冷蔵室用開閉扉（扉）
１１ｄ    冷凍室用開閉扉（扉）
１２      扉開閉検出センサ（扉開動検出手段、扉閉動検出手段）
１４      撮像部（庫外撮像手段、庫内撮像手段）
１４１    庫外撮像カメラ（庫外撮像手段）
１４２    庫内撮像カメラ（庫内撮像手段）
１５１    ＣＰＵ（庫外撮像手段、庫内撮像手段、判定手段、庫内画像データ記憶手  
段、判断手段、庫外画像情報送信手段、庫内画像データ送信手段、送信手段）  
１５２    ＲＡＭ（庫内画像データ記憶手段）
１５３ａ  庫外撮像プログラム（庫外撮像手段）
１５３ｂ  庫内撮像プログラム（庫内撮像手段）
１５３ｃ  判定プログラム（判定手段）
１５３ｄ  判断プログラム（判断手段）
１５３ｇ  送信プログラム（庫外画像情報送信手段、庫内画像データ送信手段、送信手段）
１６      送信部（庫外画像情報送信手段、庫内画像データ送信手段、送信手段）
２        サーバ（管理装置）
２１      送受信部（通知手段、画像データ送信手段）
２２      記憶部（記憶手段）
２３ａ    記憶プログラム（記憶手段）
２３ｂ    通知プログラム（通知手段）
２３ｃ    画像データ送信プログラム（画像データ送信手段）
２４      ＣＰＵ（記憶手段、通知手段、画像データ送信手段）
３        携帯電話機（端末装置）
【図１】
2007046833.tif 000003
【図２】
2007046833.tif 000004
【図３】
2007046833.tif 000005
【図４】
2007046833.tif 000006
【図５】
2007046833.tif 000007
【図６】
2007046833.tif 000008
【図７】
2007046833.tif 000009
【図８】
2007046833.tif 000010
【図９】
2007046833.tif 000011